(57)【要約】【課題】血管内での拡張力を向上させ、さらに血流遮断性能、血栓の回収性能を向上させたキャプチャーを提供すること。【解決手段】金属細線を編み込んで形成し、略円筒状の本体２、２２の基端部にドーム部３またはテーパー部２４を形成した。本体２とドーム部３の外側はグラフトＧＦで被覆した。本体２の末端部にステント部５を形成し、ステント部５は金属細線を略波形状に編み込むことにより形成し、本体２とドーム部３またはテーパー部２４は、金属細線を略格子状または略波形状に編み込むことにより形成し、本体２は、ステント部５と比較して、金属細線の間隔を狭くかつ緻密に形成し、ステント部５は、本体２と比較して、金属細線の間隔を疎でかつ大波形状に形成した。【選択図】図１
2019005143.tif 000002
【特許請求の範囲】
【請求項１】
金属細線を編み込んで形成し、略円筒状の本体（２、２２）の基端部にドーム部（３）またはテーパー部（２４）を形成した、ことを特徴とする異物捕捉デバイス用のキャプチャー（１、１１、２１）。
【請求項２】
前記本体（２、２２）と前記ドーム部（３）または前記テーパー部（２４）の外側をグラフト（ＧＦ）で被覆した、ことを特徴とする請求項１に記載の異物捕捉デバイス用のキャプチャー（１Ｇ、１１Ｇ、２１Ｇ）。
【請求項３】
前記本体（２）の末端部にステント部（５）を形成した、ことを特徴とする請求項１または請求項２に記載のキャプチャー（１、１１、１Ｇ、１１Ｇ）。
【請求項４】
本体（２、２２）、ドーム部（３）またはテーパー部（２４）は、金属細線を略格子状または略波形状に編み込むことにより形成し、
ステント部（５）は、金属細線を略波形状に編み込むことにより形成し、
本体（２）は、ステント部（５）と比較して、金属細線の間隔を狭くかつ緻密に形成し、
ステント部（５）は、本体（２）と比較して、金属細線の間隔を、広くかつ疎に形成した、ことを特徴とする請求項１から請求項３のいずれか１項に記載の異物捕捉デバイス用のキャプチャー（１、１１、２１、１Ｇ、１１Ｇ、２１Ｇ）。
【請求項５】
ドーム部（３）は末端側に本体（２）と実質的に同一の半径（Ｒ）を有し、かつ基端側に傾斜ライン（ＴＬ）を有し、当該傾斜ライン（ＴＬ）の延長線（ＥＴＬ）とキャプチャー（１、１１、１Ｇ、１１Ｇ）の中心線（ＣＸ）の交差する角度θが４５°以上から１５０°以下の形状に形成した、ことを特徴とする請求項１から請求項４のいずれか１項に記載の異物捕捉デバイス用のキャプチャー（１、１１、１Ｇ、１１Ｇ）。
【請求項６】
テーパー部（２４）は、キャプチャー（２１、２１Ｇ）の中心線（ＣＸ）の交差する角度θが１０°以上から４５°未満に形成した、ことを特徴とする請求項１、請求項２、請求項４のいずれか１項に記載の異物捕捉デバイス用のキャプチャー（２１、２１Ｇ）。
【請求項７】
請求項１から請求項６のいずれか１項に記載のキャプチャー（１、１１、２１、１Ｇ、１１Ｇ、２１Ｇ）を備えることを特徴とする異物捕捉デバイス。
【請求項８】
請求項７に記載の異物捕捉デバイスを備えることを特徴とする異物回収システム（１０１）。
【請求項９】
異物捕捉デバイスは、異物捕捉用カテーテル（１１０）であり、異物捕捉用カテーテル（１１０）は、カテーテルチューブ（１２０）と当該カテーテルチューブ（１２０）の末端部に配置されたキャプチャー（１、１１、２１、１Ｇ、１１Ｇ、２１Ｇ）と、カテーテルチューブ（１２０）の基端部に配置された基部（１４０）とを備える、ことを特徴とする請求項８に記載の異物回収システム（１０１）。
【請求項１０】
異物回収システムは、異物捕捉用カテーテル（１１０）と異物除去用カテーテル（１５０）とを備え、
異物除去用カテーテル（１５０）は、カテーテル本体（１６０）と、当該カテーテル本体（１６０）の末端部に配置された異物除去デバイス（２００）と、
前記カテーテル本体（１６０）の基端部に配置された操作部（１７０）を備える、
ことを特徴とする請求項９に記載の異物回収システム（１０１）。
【発明の詳細な説明】
【技術分野】
【０００１】
本発明は、例えば血管内に発生した血栓または塞栓などの異物を捕捉するための異物捕捉デバイスに関し、特に異物捕捉デバイスを構成する「キャプチャー」（捕捉部材、または捕獲部材ともいう）の新規形状（形態、構造ともいう）に関するものである。
異物捕捉デバイスとは、例えば異物捕捉用カテーテル等（異物とは、血栓、塞栓、医療機器の血管内残存部品、微小ゴミ等を含む）を意味するが、これに限定されない。
【背景技術】
【０００２】
特許文献１には、血管内の塞栓物を除去する血管内異物除去用ワイヤおよび医療器具の発明が開示されている。（以下、本願明細書に記載の発明の符号との混同をなくすため、特許文献１に記載の発明の符号に〈  〉をつけた。）
当該発明において、血管内異物除去用ワイヤ〈１Ａ〉は、長尺なワイヤ本体〈２〉と、ワイヤ本体〈２〉の先端から分岐するように延設された２本の分岐ワイヤ部〈４ａ、４ｂ〉と、分岐ワイヤ部〈４ａ〉と分岐ワイヤ部〈４ｂ〉との間に架設されたフィラメント部〈５１、５２、５３〉とを有し、分岐ワイヤ部〈４ａ、４ｂ〉およびフィラメント部〈５１、５２、５３〉で囲まれるようにして、異物捕捉空間〈３１〉を形成している。
【先行技術文献】
【特許文献】
【０００３】
【特許文献１】特開２００４−１６６６８号公報（要約の欄、図１〜図１２、段落［０１３０］〜［０１３２］
【発明の概要】
【発明が解決しようとする課題】
【０００４】
特許文献１に記載の発明は、塞栓物〈２００〉を３つに分割したフィラメント部〈５１、５２、５３〉より捕捉するため手技が困難と想定される。
また捕捉した塞栓物〈２００〉の破片がフィラメント部〈５１、５２、５３〉の間の隙間から逃げる（漏れ出す）のをより確実に防止するために、当該フィラメント部〈５１、５２、５３〉に、別部品として網状体〈１１〉（金属メッシュ）をろう接、溶接、接着剤による接着などにより固定しているので、形状が複雑となる。
【課題を解決するための手段】
【０００５】
そこで、本発明者は以上の課題を解決するために鋭意検討を重ねた結果、以下の発明に到達した。
［１］本発明は、金属細線を編み込んで形成し、略円筒状の本体（２、２２）の基端部にドーム部（３）またはテーパー部（２４）を形成した異物捕捉デバイス用のキャプチャー（１、１１、２１）を提供する。
［２］本発明は、前記本体（２、２２）と前記ドーム部（３）または前記テーパー部（２４）の外側をグラフト（ＧＦ）で被覆した前記［１］に記載の異物捕捉デバイス用のキャプチャー（１Ｇ、１１Ｇ、２１Ｇ）を提供する。
［３］本発明は、前記本体（２）の末端部にステント部（５）を形成した［１］または［２］に記載のキャプチャー（１、１１、１Ｇ、１１Ｇ）を提供する。
【０００６】
［４］本発明は、本体（２、２２）、ドーム部（３）またはテーパー部（２４）は、金属細線を略格子状または略波形状に編み込むことにより形成し、
ステント部（５）は、金属細線を略波形状に編み込むことにより形成し、
本体（２）は、ステント部（５）と比較して、金属細線の間隔を狭くかつ緻密に形成し、
ステント部（５）は、本体（２）と比較して、金属細線の間隔を、広くかつ疎に形成した［１］から［３］のいずれか１項に記載の異物捕捉デバイス用のキャプチャー（１、１１、２１、１Ｇ、１１Ｇ、２１Ｇ）を提供する。
［５］本発明は、ドーム部（３）は末端側に本体（２）と実質的に同一の半径（Ｒ）を有し、かつ基端側に傾斜ライン（ＴＬ）を有し、当該傾斜ライン（ＴＬ）の延長線（ＥＴＬ）とキャプチャー（１、１１、１Ｇ、１１Ｇ）の中心線（ＣＸ）の交差する角度θが４５°以上から１５０°以下の形状に形成した［１］から［４］のいずれか１項に記載の異物捕捉デバイス用のキャプチャー（１、１１、１Ｇ、１１Ｇ）を提供する。
【０００７】
［６］本発明は、テーパー部（２４）は、キャプチャー（２１、２１Ｇ）の中心線（ＣＸ）の交差する角度θが１０°以上から４５°未満に形成した［１］、［２］、［４］のいずれか１項に記載の異物捕捉デバイス用のキャプチャー（２１、２１Ｇ）を提供する。
［７］本発明は、［１］から［６］のいずれか１項に記載のキャプチャー（１、１１、２１、１Ｇ、１１Ｇ、２１Ｇ）を備える異物捕捉デバイスを提供する。
［８］本発明は、［７］に記載の異物捕捉デバイスを備える異物回収システム（１０１）を提供する。
［９］本発明は、異物捕捉デバイスは、異物捕捉用カテーテル（１１０）であり、異物捕捉用カテーテル（１１０）は、カテーテルチューブ（１２０）と当該カテーテルチューブ（１２０）の末端部に配置されたキャプチャー（１、１１、２１、１Ｇ、１１Ｇ、２１Ｇ）と、カテーテルチューブ（１２０）の基端部に配置された基部（１４０）とを備える［８］に記載の異物回収システム（１０１）を提供する。
［１０］本発明は、異物回収システムは、異物捕捉用カテーテル（１１０）と異物除去用カテーテル（１５０）とを備え、
異物除去用カテーテル（１５０）は、カテーテル本体（１６０）と、当該カテーテル本体（１６０）の末端部に配置された異物除去デバイス（２００）と、
前記カテーテル本体（１６０）の基端部に配置された操作部（１７０）を備える［９］に記載の異物回収システム（１０１）を提供する。
【発明の効果】
【０００８】
本発明のキャプチャー（１、１１、２１、１Ｇ、１１Ｇ、２１Ｇ）は、少なくとも
前記構成［１］〜［３］のように形成しているので、特許文献１に記載の発明として、形状がスマートであり、かつ塞栓物等の異物を捕捉するため手技も効率的に実施することができる。
【図面の簡単な説明】
【０００９】
【図１】図１は本発明の一実施例を示すキャプチャー１の概略図である。
【図２】図２は図１の骨格の一部拡大図である。
【図３】図３は図１（図２）のその他の実施例を示すキャプチャー１１の骨格の一部拡大図である。
【図４】図４（Ａ）は図１のドーム部３の一部拡大図である。図４（Ｂ）はドーム部３の使用例を示す一部拡大図である。
【図５】図５は本発明のその他の実施例を示すキャプチャー２１の概略図である。
【図６】図６（Ａ）、（Ｂ）は本発明のその他の実施例を示すキャプチャー（１Ｇ、１１Ｇ、２１Ｇ）の概略図である。
【図７】図７は異物回収システムの一例を示す概略図である。
【図８】図８（ａ）、（ｂ）、（ｃ）はキャプチャー２１を備えた異物回収システムの血管内の異物を除去する方法の一例を示す概略図である。
【図９】図８（ｄ）、（ｅ）、（ｆ）はキャプチャー２１を備えた異物回収システムの血管内の異物を除去する方法の一例を示す概略図である。
【図１０】図１０はキャプチャー（１、１１、１Ｇ、１１Ｇ）を備えた異物回収システムの血管内の異物を除去する方法の一例を示す概略図である。
【図１１】図１１はキャプチャー（１、１１、１Ｇ、１１Ｇ）を備えた異物回収システムの血管内の異物を除去する方法の一例を示す概略図である。
【発明を実施するための形態】
【００１０】
本発明のキャプチャー（１、１１、２１、１Ｇ、１１Ｇ、２１Ｇ）、当該キャプチャー（１、１１、２１、１Ｇ、１１Ｇ、２１Ｇ）を備えた異物捕捉デバイス（異物捕捉用カテーテル１１０）、さらに当該異物捕捉デバイス（異物捕捉用カテーテル１１０）及び異物除去用カテーテル１５０を備えた異物回収システムの説明で、各構成部材の位置、方向を明確にし、全体の概要が理解しやすくなるように、以下の定義をおく。
「末端部」とは、使用者（術者）からみて遠いほうの端部側の領域を意味し、例えば図１に示すように血栓等の異物を捕捉する方向を意味する。末端部は末端側、遠位部、遠位側という場合がある。
「基端部」とは、使用者（術者）からみて近いほうの端部側の領域を意味し、例えば図１に示すように血栓等の異物を捕捉する方向と反対の方向を意味する。基端部は基端側、近位部、近位側という場合がある。
【００１１】
キャプチャー（１、１１、２１、１Ｇ、１１Ｇ、２１Ｇ）（その他の各部材も同じ）の「長手方向」とは、キャプチャー１の長尺方向（長い方向）を意味する。「中心軸ＣＸ」とは、長手Ｌ方向の中央に沿って延びる軸を意味する。
キャプチャー（１、１１、２１、１Ｇ、１１Ｇ、２１Ｇ）の「円周ＣＲ方向」とは、中心軸ＣＸからキャプチャー（１、１１、２１、１Ｇ、１１Ｇ、２１Ｇ）を拡張する方向で、中心軸ＣＸと略垂直に交差する方向を意味する。その他の各部材では中心軸ＣＸと略垂直に交差する方向を意味する。
【００１２】
［キャプチャー（１、１１、２１、１Ｇ、１１Ｇ、２１Ｇ）の要点］
本発明のキャプチャー（１、１１、２１、１Ｇ、１１Ｇ、２１Ｇ）は、金属細線を編み込んで形成し、略円筒状の本体（２、２２）の基端部にドーム部３またはテーパー部２４を形成している。本体（２、２２）とドーム部３またはテーパー部２４の外側はグラフトＧＦで被覆している。本体２の末端部にステント部５を形成している。以下、詳細について説明する。
【００１３】
［キャプチャー１］
本発明の実施例のキャプチャー１について、以下、図面を参照しながら説明する。
キャプチャー１は、図１（図２）に示すように、本体２は金属細線を略格子状に網み込んで形成することができる。略直線部を「ストラットＳＴ」、屈曲部を「山」または「谷」という場合がある。
さらに詳述すれば、本体２は（末端部のステント部５と比較して相対的に短いストラットＳＳＴの）金属細線を緻密な略格子状に編み込んだ形状に形成している。
【００１４】
本体２の末端部は（本体２と比較して相対的に長いストラットＬＳＴの）金属細線を円周ＣＲ方向に編み込んで形成している。すなわち疎な略波形状に編み込んだステントの形状（ステント部５）に形成している。
ステント部５の金属細線（長いストラットＬＳＴ）の間隔は本体２の金属細線（短いストラットＳＳＴ）の間隔よりも大きくかつ疎で、いわゆる大波形の形状を有する。
【００１５】
本体２の基端部は、前記本体２の長手方向に（本体２と比較して相対的に若干長いストラットＳＴ）の金属細線を略格子状に編み込んだ、いわゆる「略ドーム状」の形状（以下、ドーム部３）に形成している。
ドーム部３の（本体２と比較して相対的に若干長いストラットＳＴ）の金属細線の間隔は本体２の（短いストラットＳＳＴ）の金属細線の間隔よりも若干大きい形状に形成している。
さらにドーム部３の基端側は金属細線を捻り込んだ細径部の形態を有する。細径部はカテーテルチューブ１２０との接続部（以下、チューブ接続部６ともいう）である。
【００１６】
また本発明のその他の実施例のキャプチャー１１は、図３に例示するように本体２は金属細線を略波形状（「ジグザク状」ともいう）に網み込んだ形状（形態、構造という場合がある）に形成することができる。
「略波形状」は金属細線を略直線部と屈曲部の形状に編み込んだ形状で、略直線部を「ストラットＳＴ」、屈曲部を「山」または「谷」という場合がある。
さらに詳述すれば、略円筒形状のキャプチャー本体２（以下、本体２）は（末端部のステント部５と比較して相対的に短いストラットＳＳＴの）金属細線を長手方向に複数列、相互に重ならないように編み込んで形成している。すなわち緻密な略波形状（小波形）に編み込んだ形状に形成している。
【００１７】
本体２の末端部は（本体２と比較して相対的に長いストラットＬＳＴの）金属細線を円周ＣＲ方向に編み込んで形成している。すなわち疎な略波形状に編み込んだステントの形状（ステント部５）に形成している。
ステント部５の（長いストラットＬＳＴの）金属細線の間隔は本体２の（短いストラットＳＳＴ）の金属細線の間隔よりも大きくかつ疎で、いわゆる大波形の形状を有する。
【００１８】
本体２の基端部は、前記本体２の長手方向に複数列、編み込んだ（短いストラットＳＳＴ）の金属細線の山Ｍと谷Ｖを円周ＣＲ方向に結合するように編み込んで形成している。すなわち「略格子状」に編み込んだ、いわゆる「略ドーム状」の形状（以下、ドーム部３）に形成している。
さらにドーム部３の基端側は金属細線を捻り込んだ細径部の形態を有する。細径部はカテーテルチューブ１２０との接続部（以下、チューブ接続部６ともいう）である。
以上の本体２、ドーム部３及びステント部５の金属細線を略波形状（「ジグザク状」ともいう）ないし略格子状に網み込んだ形状を総称して、以下キャプチャー１、１１の「骨格」、または本体２、ドーム部３、ステント部５のそれぞれの「骨格」という場合がある。（後述するキャプチャー２１の本体２２とテーパー部２４も同じ。）
【００１９】
ドーム部３の「略ドーム状の形状」について、さらに詳述する。
図４（Ａ）に示すように、ドーム部３は末端側に本体２と実質的に同一の半径Ｒを有し、かつ基端側に基端側から末端側に向けて傾斜するライン（以下、傾斜ラインＴＬと記載する）を有し、当該傾斜ラインＴＬの延長線ＥＴＬとキャプチャー１の中心線ＣＸの交差する角度θが４５°以上を有する形状を意味する。
傾斜ラインＴＬは、角度θが４５°以上から９０°未満は、基端側から末端側に向けて上るラインになっている。角度θが９０°を超える場合は、基端側から末端側に向けて下るラインになっている。
θが４５°未満では、後述するキャプチャー２１のテーパー部２４の形状に近くなり、（当該テーパー部２４に対する）ドーム部３の有意性を達成できない。
【００２０】
なお図４（Ａ）の点線のようにθが９０°を超えても、図４（Ｂ）のように傾斜ラインＴＬを末端ＤＥ方向に反転させることで、血流を受けることができる。
なおθがあまり大きくなる（１５０°を超える）と傾斜ラインＴＬが末端ＤＥ方向に反転しずらくなり、あわせてガイデイングカテーテルＧＣ内へ収納する際の抵抗値の増大が懸念されるため好ましくない。
したがって、角度θは４５°以上から１５０°以下に形成するのが好ましい。
【００２１】
また本発明のその他の実施例のキャプチャー２１は、図５に例示するように基端ＰＥ部を基端ＰＥ部側から末端部ＤＥ側に向けて徐々に拡径するテーパー状（以下、テーパ部２４）に形成することができる。
図５のキャプチャー２１は本体２０とテーパー部２４からなり、本体２０とテーパー部２４は、金属細線を「略格子状」に編み込むことにより形成している。また前記キャプチャー１１と同様に金属細線を「略波形状」に編み込むことにより形成することもできる。また前記キャプチャー１、１１と同様に金属細線を「略格子状」ないし「略波形状」に緻密に編み込むことにより形成することができる。
テーパー部２４の基端ＰＥ側はチューブ接続部２６（前記チューブ接続部６と同じ）を形成している。
テーパー部２４は、キャプチャー２１の中心線ＣＸの交差する角度θが１０°以上から４５°未満である。角度θがあまり小さい（１０°未満）とキャプチャー２１全体の長さが長くなりすぎるので好ましくない。
【００２２】
［キャプチャー（１Ｇ、１１Ｇ、２１Ｇ）］
本発明のその他の実施例のキャプチャー（１Ｇ、１１Ｇ）は（前記キャプチャー１、１１と実質的に同じ形状であるが本体２の末端部（ステント部５）を除いて、図６（Ａ）に示すように本体２と本体２の基端部（ドーム部３）の外側（外周）にグラフトＧＦ（膜部ともいう）を形成している点で異なる。この点以外はキャプチャー１、１１と実質的に同じであるから、詳細な説明は省略する。
また本発明のその他の実施例のキャプチャー２１Ｇは、前記キャプチャー２１と実質的に同じ形状であるが図６（Ｂ）に示すように本体２の末端ＤＥ部から本体２の基端部（テーパー部２４）の外側（外周）にグラフトＧＦ（膜部ともいう）を形成している点で異なる。この点以外はキャプチャー２１と実質的に同じであるから、詳細な説明は省略する。
【００２３】
（金属細線の材料）
金属細線の材料として、Ｔｉ−Ｎｉ合金、ＳＵＳ３１６Ｌ等のステンレス鋼、Ｃｕ−Ａｌ−Ｍｎ合金等の形状記憶合金、チタン合金、タンタル等の公知の金属又は金属合金を好ましく用いることができる。
さらに詳述すればキャプチャー（１、１１、２１、１Ｇ、１１Ｇ、２１Ｇ）は超弾性を有する材料から構成され、超弾性を有する材料として、Ｔｉ−Ｎｉ合金を好適に用いることができる。
キャプチャー（１、１１、２１、１Ｇ、１１Ｇ、２１Ｇ）は、円周ＣＲ方向に拡張及び収縮可能に構成されており、例えば拡張の形状が記憶されている。
また金属細線にダイヤモンドライクカーボン（ＤＬＣ）、フッ素含有のダイヤモンドライクカーボン（ＦＤＬＣ）、ウレタン等の高分子材料やヘパリン、ウロキナーゼ等の生理活性物質、アルガトロバン等の抗血栓薬剤を被覆させても良い。
キャプチャー（１、１１、２１、１Ｇ、１１Ｇ、２１Ｇ）は、例えば金属細線を金属製の心棒に巻きつけて、熱をかけて捻りながら図１の形状となるように作製することができる。
【００２４】
（グラフトＧＦの材料）
グラフトＧＦの材料として、例えばＰＴＦＥ（ポリテトラフロオロエチレン）等のフッ素樹脂、シリコーン、ポリウレタン、ポリエチレン、ポリエステル等を好ましく使用することができる。これらの樹脂材料によって作成されたグラフトＧＦは、生体適合性及び耐久性が比較的高く、かつ化学的に安定している。
キャプチャー（１、１１、２１）の外周（外側）にグラフトＧＦを被覆してキャプチャー（１Ｇ、１１Ｇ、２１Ｇ）とする方法は、例えば以下（１）または（２）が挙げられる。
【００２５】
（方法１）
ＰＴＦＥ製シートをキャプチャー１、１１、２１の形状にあわせて立体的なグラフトＧＦに形成し、当該グラフトＧＦをキャプチャー１、１１、２１に被せる。グラフトＧＦとキャプチャー１、１１、２１を例えば縫合糸で本体２の末端部ＤＥ側からドーム部３（テーパー部２４）の基端部ＰＥ側まで縫合して固定する。キャプチャー１、１１、２１の基端部（ドーム部３、テーパー部２４）側は、グラフトＧＦとチューブ接続部６、２６とカテーテルチューブ１２０を接着剤にて固定する。
（方法２）ＰＴＦＥ製の無垢の冶具を用意し、キャプチャー１、１１、２１を被せ、ポリウレタン溶液にディッピングして、外膜を成膜する。
治具Ｔから、キャプチャー１、１１、２１と外膜を取り外すと外周（外側）のみをグラフトＧＦで被覆したキャプチャー１Ｇ、１１Ｇ、２１Ｇが完成する。キャプチャー１、１１、２１の基端部（ドーム部３、テーパー部２４）側は、前記と同様にグラフトＧＦとチューブ接続部６、２６とカテーテルチューブ１２０を接着剤にて固定する。
【００２６】
以上説明したキャプチャー（１、１１、２１、１Ｇ、１１Ｇ、２１Ｇ）は、異物回収システム［異物捕捉デバイス（異物捕捉用カテーテル１１０）と異物除去用カテーテル１５０を備える］に使用することができる。
異物回収システム１０１は、図７に示すように異物捕捉用カテーテル１１０と、異物除去用カテーテル１５０とからなる。
異物捕捉用カテーテル１１０は、カテーテルチューブ１２０とカテーテルチューブ１２０の遠位部（末端部ＤＥ）に配置されたキャプチャー１３０と、カテーテルチューブ１２０の近位部（基端部ＰＥ）に配置された基部１４０とを備える。
【００２７】
異物除去用カテーテル１５０は、カテーテル本体１６０と、カテーテル本体１６０の遠位部（末端部ＤＥ）に配置された異物除去デバイス２００と、カテーテル本体１６０の近位部（基端部ＰＥ）に配置された操作部１７０を備える。
第１チューブ１６２は、カテーテル本体１６０の末端部ＤＥから基端部ＰＥまで延びている。ガイドワイヤＷを挿通させるためのガイドワイヤ用ルーメンが設けられている。
第２チューブ１６４は異物除去デバイス２００と操作部１７０を接続する。
操作部１７０は、いわゆるステック（棒状）の操作部本体１７２と、当該操作部本体１７２の側面に設置されたスライダー１７６とを備える。
異物除去デバイス２００は管状部材２１０と管状部材２１０の末端部ＤＥに配置されたリトリバー２２０とを備える。
【００２８】
管状部材２１０は金属製のパイプ状部材である。
リトリバー２２０は、管状部材２１０の長手方向の管軸（中心）として配置された線材等（ワイヤーともいう）を拡張及び収縮可能に構成され、略球状に形成されている。
スライダー１７６を末端部ＤＥ方向に移動させると第１チューブ１６２も末端部ＤＥ方向に移動し（第２チューブ１６４は移動しない）、リトリバー２２０は収縮する。
スライダー１７６を基端部ＰＥ方向に移動させると第１チューブ１６２も基端部ＰＥ方向に移動し（第２チューブ１６４は移動しない）、リトリバー２２０は拡張する。
【００２９】
以下図５のキャプチャー２１を異物回収システムとともに使用する場合の一例について説明する。
図８（ａ）から（ｃ）、図９（ｄ）から（ｆ）は異物捕捉用カテーテル１１０を含む異物回収システム１０１を用いて血管内の異物を除去する方法の一例を示す概略図である。図８、図９では発明の理解を容易にするために、異物回収システム１０１を構成する各部材の形状等を模式的に図示している。
図９（ａ）に示すように血管内にガイドワイヤＷを通した状態で、ガイドワイヤＷ
に沿わせてガイデイングカテーテルＧＣを血管内に挿入し、標的部位（異物ＣＬが存在する部位）の手前（基端部ＰＥ）まで異物捕捉用カテーテル１１０を送達する。
【００３０】
次に、図９（ｂ）に示すように、異物捕捉用カテーテル１１０の位置を固定した状態でガイデイングカテーテルＧＣを手元側（基端部ＰＥ側）に引き寄せ、ガイデイングカテーテルＧＣからキャプチャー２１を露出させる。これにより、血管壁と密着するようにキャプチャー２１が拡張する。
次に、図９（ｃ）に示すように、異物捕捉用カテーテル１１０の内部ルーメンを介して異物除去用カテーテル１５０を送り出し、リトリバー２２０を収縮させた状態で異物ＣＬを貫通させて、リトリバー２２０を異物ＣＬよりも遠位部（末端部ＤＥ）配置する。
【００３１】
次に、リトリバー２２０を拡張させた状態［図９（ｄ）参照］で、異物除去用カテーテル１５０を手元側（基端部ＰＥ側）に引き寄せ、異物ＣＬをキャプチャー２１内に取り込む［図９（ｅ）参照］。
そして、異物ＣＬをキャプチャー２１内に取り込んだ状態で、キャプチャー２１をガイデイングカテーテルＧＣ内に引き込む［図９（ｆ）参照］。その後、ガイデイングカテーテルＧＣの内部から異物捕捉用カテーテル１１０を引き取る作業を行うことにより、経皮的に異物ＣＬを体外に取り出すことができる。
なおキャプチャー２１は、前記図８（ａ）から図８（ｂ）において、テーパー部２４の拡張力が弱く、血流を順流方向から受けた際、血流を受け止める部分がなく、血流を十分に遮断することができないという課題があった。
【００３２】
そこで、以下図１、図２、図４、図６（Ａ）のキャプチャー（１、１１、１Ｇ、１１Ｇ）を異物回収システム［異物捕捉デバイス（異物捕捉用カテーテル１１０）と異物除去用カテーテル１５０を備える］とともに使用する場合の一例について、使用方法と（前記キャプチャー２１に対する）有意性（作用効果）について、以下、血管内の異物ＣＬ（血栓）を除去する操作例を挙げて説明する。
【００３３】
（１）キャプチャー（１、１１）は、基端部がいわゆる「ドーム形状」（ドーム部３）に形成しているので（図１、図４参照）、キャプチャー２１［図５、図８（ａ）から図８（ｂ）参照］と比較して、（Ａ）血管内における展開時の（ドーム部３と当該ドーム部３に隣接する本体２の基端側の）拡張力を向上させることができる。また（Ｂ）血流をドーム部３で受けやすくなり、順流方向の血流遮断性能を向上できる。［図１０（Ａ）、（Ｂ）参照］
（２）キャプチャー（１Ｇ、１１Ｇ）は、グラフトＧＦは本体２（ドーム部３）の（骨格の）外側（外周）に形成しているので（図６参照）、（Ｃ）本体２（ドーム部３）の骨格によりグラフトＧＦが血管壁に押し付けられるため、血流遮断性能を付与することができる。［図１０（Ｃ）参照］
なおキャプチャー２１ＧもグラフトＧＦを本体２２（テーパー部２４）の（骨格の）外側（外周）に形成する場合は、本体２２（テーパー部２４）の骨格によりグラフトＧＦが血管壁に押し付けられるため、血流遮断性能を付与することができる。
【００３４】
（３）キャプチャー（１Ｇ、１１Ｇ）はステント部５がグラフトＧＦで覆われていない、ステント部５（いわゆる「ベアステント」）になっているので（図６参照）、（Ｄ）（ベアの）ステント５の部分により留置時の血管との摩擦を付与し、キャプチャー１１のマイグレーションを予防することができる。（図１０（Ｄ）参照）
（４）（Ｅ）血栓を捕捉したキャプチャー（１、１１、１Ｇ、１１Ｇ）をガイデイングカテーテルＧＣ内に収納する際、キャプチャー（１、１１、１Ｇ、１１Ｇ）の本体２の内側（内周）の緻密な略格子状ないし略波形状の骨格は、血栓の外側（外周）と引っかかるように接触するので、血栓の回収性能を向上できる。（図１１（Ｅ）参照）
なおキャプチャー（２１、２１Ｇ）も本体２２（ないしテーパー部２４）を緻密な略格子状ないし略波形状の骨格に形成することにより、血栓の外側（外周）と引っかかるように接触するので、血栓の回収性能を向上できる。
【００３５】
［キャプチャー１、１１、１Ｇ、１１Ｇの有意性］
（Ａ）ドーム部３により、血管内における展開時の（ドーム部３と当該ドーム部３に隣接する本体２の基端側の）拡張力を向上させることができる。
（Ｂ）血流をドーム部３で受けやすくなり、順流方向の血流遮断性能を向上できる。
（Ｃ）骨格（本体２）の外側に形成したグラフトは、骨格（本体２）により、血管壁に押し付けられるため、血流遮断性能を付与することができる。（キャプチャー２１Ｇも同じ）
（Ｄ）グラフトで覆っていない（ベアの）ステント部５により留置時の血管との摩擦を付与し、キャプチャー（１、１１、１Ｇ、１１Ｇ）のマイグレーションを予防することができる。
（Ｅ）血栓を捕捉したキャプチャー（１、１１、１Ｇ、１１Ｇ）をガイデイングカテーテルＧＣ内に収納する際、骨格（本体２）の内側（内周）の緻密な略波形状ないし略格子状が血栓の外側（外周）と引っかかるように接触するので、血栓の回収性能を向上することができる。（キャプチャー２１、２１Ｇも同じ）
【符号の説明】
【００３６】
１、１１、２１、１Ｇ、１１Ｇ、２１Ｇ      キャプチャー
２、２２    キャプチャー本体（本体）
２４    テーパー部（本体の基端部）
３      ドーム部（本体の基端部）
５      ステント部（本体の末端部）
ＧＦ    グラフト
６、２６      チューブ接続部
１０１  異物回収システム
１１０  異物補足用カテーテル
１２０  カテーテルチューブ
１４０  基部
１４２  ポート
１５０  異物除去用カテーテル
１６０  カテーテル本体
１６２  第１チューブ
１６４  第２チューブ
１７０  操作部
１７２  操作部本体
１７６  スライダー
１７８  液体充填ポート
２００  異物除去デバイス
２１０  管状部材
２２０  リトリバー
ＧＣ    ガイデングカテーテル
Ｗ      ガイドワイヤー
ＣＬ    異物、血栓
【図１】
2019005143.tif 000003
【図２】
2019005143.tif 000004
【図３】
2019005143.tif 000005
【図４】
2019005143.tif 000006
【図５】
2019005143.tif 000007
【図６】
2019005143.tif 000008
【図７】
2019005143.tif 000009
【図８】
2019005143.tif 000010
【図９】
2019005143.tif 000011
【図１０】
2019005143.tif 000012
【図１１】
2019005143.tif 000013